(57)【要約】  【課題】  水絞りモップの清掃素子の組立及び交換操作を簡便に実行できるようにする。  【解決手段】  水絞りモップの清掃素子１は、モップのコネクティングロッド５下端に掛け止められ、ふき払う部１４と固定位置部を有する綿体１２と、該綿体１２の固定部１６上に固設された基板１１とを含み、前記基板１１上方の中段箇所に固定ピース１５を設け、該固定ピース１５上には夫々孔１７が設けられ、該孔１７の上方に夫々ガイド面１９を設けたことによって該ガイド面１９のガイドを介して清掃素子の組立て及び交換操作が簡便となる。【選択図】図２
0003127048.tif 000002
【実用新案登録請求の範囲】
【請求項１】
モップのコネクティングロッド下端にかけとめ、ふき払う部と、固定位置部を有する綿体、及び前記綿体の固定部上に固設した基板とを包む水絞りモップの清掃素子において、  前記基板上方中段箇所に固定ピースを設け、該固定ピース上にそれぞれ孔を設けて、該孔上方にそれぞれガイド面を設けたことを特徴とする水絞りモップの清掃素子。
【請求項２】
前記固定ピースと前記基板は一体成形されたことを特徴とする請求項１に記載の水絞りモップの清掃素子。
【請求項３】
前記固定ピースは接続ピース上に設置され、更に、ねじピースに配設されて前記基板上に締め付けたことを特徴とする請求項１に記載の水絞りモップの清掃素子。
【請求項４】
前記ガイド面が前記固定ピースの内側に設けられることを特徴とする請求項１に記載の水絞りモップの清掃素子。
【請求項５】
前記ガイド面が前記固定ピースの外側に設けられたことを特徴とする請求項１に記載の水絞りモップの清掃素子。
【請求項６】
前記固定ピースの孔上方内側に溝が設けられ、前記ガイド面は前記溝内に設けたことを特徴とする請求項１に記載の水絞りモップの清掃素子。
【請求項７】
前記固定ピースの孔上方外側に溝を設け、前記ガイド面は前記溝内に設けたことを特徴とする請求項１に記載の水絞りモップの清掃素子。
【請求項８】
前記ガイド面が斜面であることを特徴とする請求項１、４、５、６又は７記載の水絞りモップの清掃素子。
【請求項９】
前記ガイド面が弧形面であることを特徴とする請求項１、４、５、６又は７記載の水絞りモップの清掃素子。
【考案の詳細な説明】
【技術分野】
【０００１】
本考案は水絞りモップの清掃素子に関するものであり、特に、清掃素子の組立及び交換が容易に実行できるようにしたモップの清掃素子に関するものである。
【背景技術】
【０００２】
従来の此種水絞りモップを図１０及び１１に従って説明する。同図に示す日本国特許願２００６−２１０８号のモップは、基板１１と綿体１２を有し、基板１１の中段箇所に固定ピースを設け、該固定ピース上にはそれぞれ孔１７を設けた清掃素子１と、該清掃素子１の上方に跨がって設けられ、且つ、その頂部に穿孔２１を設け、その下端前後側にそれぞれ左右アームバー２３，２４を設けている。左右アームバー２３，２４上にはそれぞれ孔２８を設けることで、その間に開口２７を形成するチャック２と、該チャック２の穿孔２１に固設し、その下段箇所に長形孔３１を設けた握りレバー３と、その上端が握りレバー３の中段箇所に枢設し、その下端にはハンドル４１を設けたテンションレバー４と、その上端をテンションレバー４の上段箇所に枢設し、その下端は長形孔３１を貫通し、且つ、握りレバー３の下段箇所に設けたコネクティングロッド５と対称的に左右アームバー２３，２４の孔２８に固設するロッド体５６と、それぞれロッド体５６上に設けた数個の水絞り素子５７と、コネクティングロッド５の下端に枢接した接続ピース６と、接続ピース６の下端に設けられた連結機構７が接続ピース６の下端に設けた位置決めピース６６が接続ピース６の下端に設けられ、その上にそれぞれ孔６７を設けたものと、該孔６７の間に設けた弾性止部材とを包み、その中、截断面が略十字形を呈し、係止６２と内外突起６４，６３を有する止ピース６１と、両端がそれぞれ内突起６４を固定することで外突起６３をそれぞれ孔６７の外に突出したスプリング６５を包む。
【０００３】
清掃素子１を組立て、或いは交換したい場合には、同時に両側の外突起６３を押圧して該突起６３を縮みこめさせることにより、清掃素子１の組立て或いは交換ができる。
【０００４】
従来多く用いられているモップは操作が容易であるため広く家庭用として用いられているが、清掃素子１を組立て或いは交換する場合には、同時に両側の外突起を押圧する必要があり面倒である。
【考案の開示】
【考案が解決しようとする課題】
【０００５】
従来例の水絞りモップの清掃素子は組立て及び交換作業が面倒であるので、この組立て及び交換操作が簡便な水絞りモップの清掃素子を提供するために解決せられるべき技術的課題が生じてくるのであり、本考案は該課題を解決することを目的とする。
【課題を解決するための手段】
【０００６】
本考案は上記目的を達成するために提案されたものであり、請求項１記載の考案はモップのコネクティングロッド下端にかけとめ、ふき払う部と、固定位置部を有する綿体、及び前記綿体の固定部上に固設した基板とを包む水絞りモップの清掃素子において、前記基板上方中段箇所に固定ピースを設け、該固定ピース上にそれぞれ孔を設けて、該孔上方にそれぞれガイド面を設けたことを特徴とする水絞りモップの清掃素子を提供するものである。
【０００７】
請求項２記載の考案は前記固定ピースと前記基板は一体成形されたことを特徴とする請求項１に記載の水絞りモップの清掃素子を提供する。
【０００８】
請求項３記載の考案は前記固定ピースは接続ピース上に設置され、更に、ねじピースに配設されて前記基板上に締め付けたことを特徴とする請求項１に記載の水絞りモップの清掃素子を提供する。
【０００９】
請求項４記載の考案は前記ガイド面が前記固定ピースの内側に設けられることを特徴とする請求項１に記載の水絞りモップの清掃素子を提供する。
【００１０】
請求項５記載の考案は前記ガイド面が前記固定ピースの外側に設けられたことを特徴とする請求項１に記載の水絞りモップの清掃素子を提供する。
【００１１】
請求項６記載の考案は前記固定ピースの孔上方内側に溝が設けられ、前記ガイド面は前記溝内に設けたことを特徴とする請求項１に記載の水絞りモップの清掃素子を提供する。      
【００１２】
請求項７記載の考案は前記固定ピースの孔上方外側に溝を設け、前記ガイド面は前記溝内に設けたことを特徴とする請求項１に記載の水絞りモップの清掃素子を提供する。
【００１３】
請求項８記載の考案は前記ガイド面が斜面であることを特徴とする請求項１、４、５、６又は７記載の水絞りモップの清掃素子を提供する。
【００１４】
請求項９記載の考案は前記ガイド面が弧形面であることを特徴とする請求項１、４、５、６又は７記載の水絞りモップの清掃素子を提供する。
【考案の効果】
【００１５】
本考案は、水絞りモップの基板上方の中段箇所に固定ピースを設け、該固定ピースには夫々孔が設けられ、該孔の上方に夫々ガイド面を設けられているので、該ガイド面のガイドを介して清掃素子の組立て及び交換が可能であるため、該組立て及び交換操作が極めて簡便となる。
【考案を実施するための最良の形態】
【００１６】
本考案は、水絞りモップの清掃素子の組立て及び交換操作を簡便に実行できるようにするために、該水絞りモップの清掃素子はモップのコネクティングロッド下端に掛け止められ、ふき払う部と固定位置部を有する綿体と、該綿体の固定部上に固設された基板とを含み、前記基板上方の中段箇所に固定ピースを設け、該固定ピース上には夫々孔が設けられ、該孔の上方に夫々ガイド面を設けたことによって実現した。
【実施例】
【００１７】
以下、本考案の好適な実施例を図１〜図９に従って詳述する。本考案と従来例との相違する部分は位置決めピース７０内に空室７１を設け、その前後側壁７２，７４の左右側壁７３，７５近傍に夫々開口７６１，７６２が設けられ、その左右側壁７３，７５に夫々孔７７を設けている。弾性止部材ピース８は孔７７の間に設けられ、その中、截断面が略十字形を呈し、係止８３と内外突起８７，８５を有する止ピース８１と、両端を夫々内突起８７に固定することで外突起８５が夫々孔７７の外に突出する。押しキーは前側壁７２の外側に設けて該押しキー９は略Ｕ形を呈し、その両端の中段箇所に夫々開口９４を設け、且つ、内側辺に夫々傾斜面９６を設けている。該傾斜面９６の末端は開口７６１を貫通し、且つ、左右側壁７３，７５と係止８３の間へ挿置し、その中央部に突起９３を設けてスプリング９５を固設する。該スプリング９５は前側壁７２の前方中央部に設けられ、孔７７の外に突出した外突起８５を介して清掃素子１ａを掛け止めることができる。
【００１８】
本考案の清掃素子１ａの水絞り原理と従来の清掃素子１とは略同一である。両者の綿体１２，１２ａ（図２、図１１に示す）部分も同じ。本考案の特徴は固定ピース１５ａの孔１７ａ上方に夫々ガイド面１９を設け、該ガイド面１９は内側より外側上方へ向かって斜欠され、外突起８５をガイドして孔１７ａに進入できるように構成され、これにより清掃素子１ａの組立て及び交換操作を簡便ならしめたものである。
【００１９】
尚、詳述すれば、図１〜２に示すように、清掃素子１ａはふき払う部１４と固定部１６を有する綿体１２ａと、固定部１６上に固設された基板１１ａと、夫々基板１１ａの中段に設け、その上に夫々孔１７ａを設け該孔１７ａ上方の内側に夫々ガイド面１９を設け、且つ、該ガイド面１９は内側から外側上方へ向かって斜設されて成る固定ピース１５ａを有する。
【００２０】
図３ａ〜３ｃに示すように、清掃素子を組立てる場合はガイド面１９は外突起８５をガイドして孔１７ａに入ることができる。そして、即ち、ガイド面１９の傾斜に該外突起８５がガイドされ乍ら止ピース８１が位置決めピース７０内へ没入し、そして、該外突起８５が孔１７ａ位置まで下降したときスプリングによって該止ピース８１が外方へ押圧され、前記外突起８５を孔１７ａに掛け止めるのである。又、前記の固定ピース１５ａは基板１１ａと一体成形できる。
【００２１】
図４に示す第二実施例は、位置決めピース７０ｂ内に仕切板７１ｂを設けることで、中央空室７１１及び左右側室７１２を形成する。仕切板７１ｂに夫々孔７７ｂが設けられ、左右弾性止部材８ｂは夫々左右側室７１２内に設けている。その中、略十字形を呈し、係止８３と内外突起８７，８５を有する止ピース８１と、外突起８５を固定することで内突起８７を孔７７ｂに貫通し、しかも、中央空室７１１へ突出するスプリング２４とを包む。そして、固定ピース１５ｂの孔１７ｂ上方の外側に夫々ガイド面１９を設けることで止ピースの内突起８７をガイドして孔１７ｂに掛合させる。
【００２２】
図５ａ，５ｂに示す第三及び第四実施例は、ガイド面１９ｃ，１９ｄが弧形面である。      
【００２３】
図６ａ，６ｂに示す第五及び第六実施例は、固定ピース１５ｃ，１５ｄが接続ピース１３上に設けられ、該接続ピース１３は数個のねじピース１４に配設されて基板１１ａ上に締めつけられている。
【００２４】
図７ａ，７ｂに示す第七及び第八実施例は、ガイド面１９ｅ，１９ｆが弧形面である。      
【００２５】
図８ａに示す第九実施例は、更に外突起８５（図２参考）を孔１７ｅに嵌挿させるために、固定ピース１５ｅの孔１７ｅ上方の内側に溝１８を設けており、該溝１８内にガイド面１９ｇを設ける。図８ｂに示す第十実施例で、ガイド面１９ｈが弧形面である。
【００２６】
図９ａに示す第十一実施例は、更に外突起８５（図２参考）を孔１７ｆに嵌挿させるために、固定ピース１５ｆの孔１７ｆ上方の外側に溝１８ｂが設けられてあり、更に、該溝１８ｂ内にはガイド面１９ｉが設けられている。図９ｂに示す第十二実施例はガイド面が弧形面である。
【００２７】
尚、本考案は、本考案の精神を逸脱しない限り種々の改変を為すことができ、そして、本考案が該改変されたものに及ぶことは当然である。
【図面の簡単な説明】
【００２８】
【図１】本考案モップの正面図。
【図２】本考案モップの分解図。
【図３】（ａ）、（ｂ）、（ｃ）は本考案組立て時の動作説明図。
【図４】本考案の第二実施例の分解図。
【図５】（ａ）、（ｂ）は夫々本考案第３〜第８実施例の断面図。
【図６】（ａ）、（ｂ）は夫々本考案第３〜第８実施例の断面図。
【図７】（ａ）、（ｂ）は夫々本考案第３〜第８実施例の断面図。
【図８】（ａ）、（ｂ）は夫々本考案第９〜第１２実施例の斜視図。
【図９】（ａ）、（ｂ）は夫々本考案第９〜第１２実施例の斜視図。
【図１０】従来のモップの正面図。
【図１１】従来の清掃素子の分解斜視図。
【符号の説明】
【００２９】
１，１ａ        清掃素子
２              チャック
３              握りレバー
４              テンションレバー
５              コネクティングロッド
６              接続ピース
７              連結機構
８，８ｂ，６０  弾性止部材
９              押しキー
１１，１１ａ      基板
１２，１２ａ      綿体
１４              ふき払う部
１５，１５ａ，１５ｂ，１５ｃ，１５ｄ，１５ｅ，１５ｆ    固定ピース
１６              固定部
１７，１７ａ，１７ｂ，１７ｅ，１７ｆ，２８，６７，７７，７７ｂ    孔
１８，１８ｂ      溝
１９，１９ｂ〜１９ｊ      ガイド面
２１              穿孔
２３，２４        左右アームバー
２７，９４，７６１，７６２      開口
３１              長形孔
４１              ハンドル
５６              ロッド体
５７              水絞り素子
６１，８１        止ピース
６２，８３        係止
６３，８５        外突起
６４，８７        内突起
６５，８２，８４，９５    スプリング
６６，７０，７０ｂ    位置決めピース
７１              空室
７１ｂ            仕切板
７２，７４        前後側壁
７３，７５        左右側壁
７７ｂ            貫通孔
９３              突起
９６              傾斜面
７１１              中央空室
７１２              左右側室
【図１】
0003127048.tif 000003
【図２】
0003127048.tif 000004
【図３】
0003127048.tif 000005
【図４】
0003127048.tif 000006
【図５】
0003127048.tif 000007
【図６】
0003127048.tif 000008
【図７】
0003127048.tif 000009
【図８】
0003127048.tif 000010
【図９】
0003127048.tif 000011
【図１０】
0003127048.tif 000012
【図１１】
0003127048.tif 000013